(57)【要約】【課題】面光源を取り付けるための面光源固定装置において、作業者以外の人が面光源を取り外せないようにする。【解決手段】面光源２００は、面光源固定装置１００の配置面１０２に配置される。面光源２００のうち配置面１０２に対向する面２０２には、固定部材２１０が設けられている。固定部材２１０は面２０２から突出している。面光源固定装置１００は係合部１０５を有している。係合部１０５は、面光源２００が配置面１０２に配置された状態において固定部材２１０に係合する。面光源固定装置１００の配置面１０２には開口１０４が設けられており、面光源固定装置１００の内部には中空部１０６が設けられている。中空部１０６は係合部１０５を収容するために設けられている。開口１０４は中空部１０６に繋がっている。【選択図】図１
2014229494.tif 000002
【特許請求の範囲】
【請求項１】
面光源が配置される配置面と、
前記面光源が前記配置面に配置されたときに、前記面光源または前記面光源に取り付けられた固定部材と係合する係合部と、
を備え、
前記係合部による前記係合は、外部から磁力が加わることによって外れる面光源固定装置。
【請求項２】
請求項１に記載の面光源固定装置において、
前記係合部は、前記磁力によって移動する移動部材を備え、
前記移動部材が移動することにより前記係合が外れる面光源固定装置。
【請求項３】
請求項２に記載の面光源固定装置において、
前記移動部材は磁性体を有している面光源固定装置。
【請求項４】
請求項３に記載の面光源固定装置において、
前記磁性体は磁石である面光源固定装置。
【請求項５】
請求項４に記載の面光源固定装置において、
複数の前記移動部材を備え、
少なくとも一つの前記移動部材が有する前記磁石は、他の前記移動部材が有する前記磁石と極性が逆を向いている面光源固定装置。
【請求項６】
請求項２〜５のいずれか一項に記載の面光源固定装置において、
前記移動部材は、
前記配置面に平行な成分を含む方向に移動可能であり、前記固定部材と係合する第１部材と、
前記磁力によって前記配置面に交わる方向に移動する第２部材と、
前記第１部材に一端側が回転可能に取り付けられているとともに、他端側が前記第２部材に回転可能に取り付けられている連結部材と、
を備える面光源固定装置。
【請求項７】
請求項２〜５のいずれか一項に記載の面光源固定装置において、
前記移動部材を前記配置面に平行な方向に移動可能に保持する保持部材を備え、
前記移動部材は、前記磁力の発生源とともに前記配置面に平行な方向に移動することにより、前記係合を外す面光源固定装置。
【請求項８】
面光源固定装置の配置面に固定された面光源を前記配置面から取り外すための取り外し装置であって、
前記面光源固定装置は、前記面光源が前記配置面に配置されたときに、前記面光源または前記面光源に取り付けられた固定部材と係合する係合部を複数備え、
前記係合部による前記係合は、外部から磁力が加わることによって外れ、
前記取り外し装置は、
複数の磁力源と、
前記複数の磁力源を前記複数の係合部の相対位置に対応するように保持する保持部と、
を備える取り外し装置。
【発明の詳細な説明】
【技術分野】
【０００１】
本発明は、面光源固定装置及び取り外し装置に関する。
【背景技術】
【０００２】
近年は、有機ＥＬ（Organic Electroluminescence）素子およびＬＥＤ（Light Emitting Diode）などの面光源を、照明装置の光源として使用するための技術が開発されている。これらの面光源の使用方法の一つとして、壁面や天井などの面に面光源を取り付ける方法がある。
【０００３】
例えば特許文献１には、面光源を、この面光源に電力を供給する給電部に、磁力を用いて取り付けることが記載されている。詳細には、面光源の一面には磁性部が設けられている。また、給電部の裏側には電磁石が設けられている。そして、この電磁石が面光源の磁性部を吸着することにより、面光源は給電部に取り付けられる。
【０００４】
また特許文献２にも、磁力を用いて面光源を固定装置に取り付けることが記載されている。この技術において、面光源に設けられた電極は、固定具の磁石に取り付けられる。固定具の磁石は、電極を兼ねている。
【先行技術文献】
【特許文献】
【０００５】
【特許文献１】特開２００９−７６３８７号公報
【特許文献２】特表２０１２−５２７７２７号公報
【発明の概要】
【発明が解決しようとする課題】
【０００６】
特許文献１，２に記載の技術によれば、固定装置を用いることで面光源を所望の場所に取り付けることができる。しかし、これらの技術によれば、誰にでも面光源を容易に取り外すことができてしまう。本発明者は、作業者以外の人が面光源を取り外せないようにすることを検討した。
【０００７】
本発明が解決しようとする課題としては、面光源を取り付けるための面光源固定装置において、作業者以外の人が面光源を取り外せないようにすることが一例として挙げられる。
【課題を解決するための手段】
【０００８】
請求項１に記載の発明は、面光源が配置される配置面と、
前記面光源が前記配置面に配置されたときに、前記面光源または前記面光源に取り付けられた固定部材と係合する係合部と、
を備え、
前記係合部による前記係合は、外部から磁力が加わることによって外れる面光源固定装置である。
【０００９】
請求項８に記載の発明は、面光源固定装置の配置面に固定された面光源を前記配置面から取り外すための取り外し装置であって、
前記面光源固定装置は、前記面光源が前記配置面に配置されたときに、前記面光源または前記面光源に取り付けられた固定部材と係合する係合部を複数備え、
前記係合部による前記係合は、外部から磁力が加わることによって外れ、
前記取り外し装置は、
複数の磁力源と、
前記複数の磁力源を前記複数の係合部の相対位置に対応するように保持する保持部と、
を備える取り外し装置である。
【図面の簡単な説明】
【００１０】
【図１】実施形態に係る発光装置の構成を示す図である。
【図２】（ａ）は実施例１に係る面光源を下面から見た図であり、（ｂ）は図２（ａ）のＡ−Ａ断面図である。
【図３】面光源固定装置の平面図である。
【図４】（ａ）は、図３のＢ−Ｂ断面図である。図４（ｂ）は、図４（ａ）のＣ−Ｃ断面図である。
【図５】面光源を面光源固定装置に取り付ける方法、及び面光源を面光源固定装置から取り外す方法を示す断面図である。
【図６】（ａ）は、本実施例に用いられる取り外し装置を上方から見た図であり、（ｂ）は取り外し装置を横から見た図である。
【図７】実施例２に係る発光装置の構成を示す図である。
【図８】実施例２において面光源を面光源固定装置から取り外す方法を示す図である。
【図９】実施例３に係る発光装置が有する面光源固定装置の構成を示す図である。
【図１０】（ａ）は、実施例３に係る面光源を下面から見た図であり、（ｂ）は図１０のＡ−Ａ断面図である。
【図１１】実施例３において、面光源を面光源固定装置に取り付ける方法、及び面光源を面光源固定装置から取り外す方法を示す断面図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
図１は、実施形態に係る発光装置１０の構成を示す図である。本実施形態に係る発光装置１０は、面光源固定装置１００及び面光源２００を備えている。面光源２００は、面光源固定装置１００の配置面１０２に配置される。面光源２００のうち配置面１０２に対向する面２０２には、固定部材２１０が設けられている。固定部材２１０は面２０２から突出している。
【００１３】
面光源固定装置１００は係合部１０５を有している。係合部１０５は、面光源２００が配置面１０２に配置された状態において固定部材２１０に係合する。本図に示す例では、面光源固定装置１００の配置面１０２には開口１０４が設けられており、面光源固定装置１００の内部には中空部１０６が設けられている。中空部１０６は係合部１０５を収容するために設けられている。開口１０４は、面光源２００が配置面１０２に配置された状態において、固定部材２１０に対向する位置に設けられている。開口１０４は中空部１０６に繋がっている。そして、固定部材２１０は、開口１０４を介して中空部１０６の中に入り込み、この状態で係合部１０５に係合する。例えば固定部材２１０の先端は爪部２１２となっており、爪部２１２が係合部１０５の端部に係合する。
【００１４】
そして係合部１０５と固定部材２１０との係合は、外部から係合部１０５に磁力が加わることにより外れる。この磁力は、例えば面光源２００のうち面２０２とは逆側の面（例えば光が取り出される面）に磁力源３００（例えば磁石）を近づけることにより、係合部１０５に加わる。例えば係合部１０５は、磁力源３００からの磁力によって移動することにより、固定部材２１０から外れる。
【００１５】
本実施形態によれば、面光源固定装置１００の配置面１０２に面光源２００を配置すると、固定部材２１０は開口１０４を介して中空部１０６の内部に入り込み、係合部１０５に機械的に係合する。従って、面光源２００を面光源固定装置１００に固定することができる。また、係合部１０５は固定部材２１０に機械的に係合しているため、磁力源３００を用いない限り、面光源２００を面光源固定装置１００から取り外すことはできない。従って、面光源２００を取り外すのに磁力源３００を用いる必要があることを知っている人（例えば作業者）以外の人は、面光源２００を面光源固定装置１００から取り外すことはできない。
【実施例】
【００１６】
（実施例１）
本実施例に係る発光装置１０は、面光源２００に複数の固定部材２１０が設けられており、面光源固定装置１００に複数の中空部１０６及び係合部１０５が設けられている。
【００１７】
図２（ａ）は、実施例１に係る面光源２００を面２０２側から見た図であり、図２（ｂ）は図２（ａ）のＡ−Ａ断面図である。本実施例において、面光源２００には複数の固定部材２１０が設けられている。そして少なくとも一つの固定部材２１０が有する爪部２１２の向きは、他の固定部材２１０が有する爪部２１２の向きとは異なる事が望ましい。
【００１８】
具体的には、面光源２００の面２０２には３つの固定部材２１０が設けられている。３つの固定部材２１０は、例えば２等辺三角形又は正三角形の頂点に配置されている。そして２つの固定部材２１０の爪部２１２は、面２０２の一辺２０３に平行かつ残りの一つの固定部材２１０に近づく方向を向いている。そして残りの１つの固定部材２１０の爪部２１２も、一辺２０３に平行かつ他の２つの爪部２１２に近づく方向を向いている。
【００１９】
また、爪部２１２の下面は、爪部２１２の端に近づくにつれて面２０２に近づく方向に傾斜している。一方、爪部２１２の上面は面２０２に対して平行である。ただし、爪部２１２の上面も、爪部２１２の端に近づくにつれて面２０２に近づく方向に傾斜していてもよい。
【００２０】
図３は、面光源固定装置１００の平面図である。面光源固定装置１００の配置面１０２には複数の開口１０４が設けられている。複数の開口１０４のそれぞれは、互いに異なる固定部材２１０に対応する位置に設けられている。そして面光源固定装置１００のうち複数の開口１０４それぞれの下方には、互いに異なる中空部１０６が設けられている。そして複数の中空部１０６のそれぞれの中に、係合部１０５が配置されている。
【００２１】
また、本図に示す例では、配置面１０２には磁石配置領域１０８を示す表記又は凹凸が設けられている。磁石配置領域１０８は、面光源固定装置１００から面光源２００を取り外すときに磁力源３００を配置すべき領域を示している。これにより、面光源２００を面光源固定装置１００に取り付ける際に、作業者は、面光源２００を面光源固定装置１００から取り外すときに磁力源３００を配置すべき位置を認識することができる。
【００２２】
図４（ａ）は、図３のＢ−Ｂ断面図である。図４（ｂ）は、図４（ａ）のＣ−Ｃ断面図である。開口１０４は中空部１０６を面光源固定装置１００の外部につなげている。そして中空部１０６内には係合部１０５が設けられている。
【００２３】
係合部１０５は、移動部材１０７を備えている。移動部材１０７は、固定部材２１０に係合するとともに、磁力源３００からの磁力が加わることにより移動する。そしてこの移動によって、移動部材１０７と固定部材２１０の係合は外れる。
【００２４】
詳細には、移動部材１０７は、第１部材１１０、第２部材１２０、及び連結部材１３０を有している。第１部材１１０は移動可能であり、かつ、その移動方向には配置面１０２に平行な成分が含まれている。第２部材１２０は、磁力源３００からの磁力が加わることにより配置面１０２に交わる方向に移動する。連結部材１３０の一端側は第１部材１１０の端部１１８に回転可能に取り付けられている。また、連結部材１３０の他端側は第２部材１２０に回転可能に取り付けられている。
【００２５】
詳細には、第１部材１１０は棒状の部材であり、中空部１１２を有している。中空部１１２は第１部材１１０の側面を貫通しており、かつ第１部材１１０が延在する方向に細長い。中空部１１２には、複数（例えば２つ）の支持軸１１４が挿入されている。支持軸１１４は中空部１０６の内壁に固定されている。このような構造において、中空部１１２の内面を支持軸１１４が滑ることにより、第１部材１１０は、支持軸１１４に支持されつつ図中ｘ方向にスライドする。
【００２６】
第２部材１２０は、磁性体を有している。本実施例において、この磁性体は磁石である。また、第２部材１２０には貫通孔１２１が設けられている。貫通孔１２１は、配置面１０２に交わる方向（例えば垂直な方向）に延在している。そして貫通孔１２１には、移動軸１２２が差し込まれている。移動軸１２２の両端は中空部１０６の内面に固定されている。本図に示す例では、移動軸１２２の一端は中空部１０６の上面に固定されており、移動軸１２２の他端は中空部１０６の底面に固定されている。そして、第２部材１２０にはバネ部材１４０の一端が取り付けられている。バネ部材１４０の他端は、中空部１０６の底面に固定されている。バネ部材１４０は、第２部材１２０が配置面１０２に向かう方向に付勢している。
【００２７】
このような構造において、第２部材１２０は、移動軸１２２に沿って移動可能となっている。そして、移動軸１２２にはストッパー１２４が設けられている。ストッパー１２４は、第２部材１２０の移動範囲を規制するために設けられており、第２部材１２０よりも配置面１０２の近くに位置している。そして開口１０４から面光源２００の固定部材２１０が差し込まれていない状態において、第２部材１２０は、バネ部材１４０によって、ストッパー１２４に当接するまで押されている。
【００２８】
そして、第１部材１１０に、第１部材１１０を移動軸１２２に近づける方向に移動させる力が加わると、第１部材１１０はその方向に移動し、かつ第２部材１２０は中空部１０６の底面に近づく方向に移動する。なた、第２部材１２０に、第２部材１２０を中空部１０６の底面に移動させる力が加わると、第２部材１２０はその方向に移動し、かつ第１部材１１０は移動軸１２２に近づく方向に移動する。
【００２９】
図５は、面光源２００を面光源固定装置１００に取り付ける方法、及び面光源２００を面光源固定装置１００から取り外す方法を示す断面図である。
【００３０】
図５（ａ）に示すように、面光源２００を面光源固定装置１００に取り付けるとき、作業者は、面光源２００の固定部材２１０を面光源固定装置１００の開口１０４に差し込む。すると、固定部材２１０の爪部２１２の下面が第１部材１１０の一端１１６に当接する。爪部２１２の下面は傾斜しているため、固定部材２１０がさらに押し込まれると、固定部材２１０の一端１１６は爪部２１２の下面によって移動軸１２２に近づく方向に押され、その方向に移動する。このとき、第２部材１２０も、バネ部材１４０を押し縮めながら中空部１０６の底面に近づく方向に移動する。
【００３１】
そして、図５（ｂ）に示すように、固定部材２１０の爪部２１２の上面が第１部材１１０の下面よりも下方に来たとき、第１部材１１０には移動軸１２２に近づく方向が加わらなくなるため、第２部材１２０はバネ部材１４０によって配置面１０２に近づく方向に押し戻される。これにともない、第１部材１１０も移動軸１２２から離れる方向に移動し、第１部材１１０の一端１１６の下面が爪部２１２の上面の情報に移動する。このようにして、第１部材１１０と固定部材２１０が係合し、その結果、面光源２００は配置面１０２に固定される。
【００３２】
一方、面光源２００を面光源固定装置１００から取り外すときは、図５（ｃ）に示すように、第２部材１２０の上方に磁力源３００を位置させる。ここで、磁力源３００を第２部材１２０と反発しあう向きにすると、第２部材１２０はバネ部材１４０を押し縮めながら中空部１０６の底面に向かって移動する。すると、第１部材１１０は移動軸１２２に近づく方向に移動し、これによって、第１部材１１０の一端１１６は、面光源２００の固定部材２１０の上面から外れる。その結果、固定部材２１０を開口１０４から引き抜くことが可能になり、面光源２００を面光源固定装置１００から取り外すことができる。
【００３３】
図６（ａ）は、本実施例に用いられる取り外し装置３０２を上方から見た図であり、図６（ｂ）は取り外し装置３０２を横から見た図である。取り外し装置３０２は、複数の磁力源３００及び保持部３０４を備えている。取り外し装置３０２が有する磁力源３００の数は、面光源固定装置１００が有する係合部１０５の数と同数になっている。そして保持部３０４は、複数の磁力源３００の相対位置が複数の第２部材１２０の相対位置と同じになるように、複数の磁力源３００を保持している。従って、取り外し装置３０２を用いると、作業者は、複数の磁力源３００を、容易に複数の第２部材１２０の上方に位置させることができるため、面光源２００を面光源固定装置１００から取り外すことができる。
【００３４】
以上、本実施例によれば、実施形態と同様の効果が得られる。また、係合部１０５を機械的な要素のみで形成することができる。
【００３５】
なお、本実施例において、複数の第２部材１２０のそれぞれが有する磁石の極性は、全て同一の方向を向いていても良いし、少なくとも一つの極性が他と逆であっても良い。このようにすると、さらに、作業者以外の人が面光源２００を取り外しにくくなる。なお、この場合、保持部３０４が有する複数の磁力源３００のうち、極性が逆になっている第２部材１２０に対応する磁力源３００の極性も、他の磁力源３００とは逆になっている。
【００３６】
（実施例２）
図７は、実施例２に係る発光装置１０の構成を示す図である。本実施例に係る発光装置１０は、以下の点を除いて実施例１に係る発光装置１０と同様の構成である。
【００３７】
まず、移動軸１２２のストッパー１２４は、第２部材１２０よりも中空部１０６の底面側に位置している。そしてバネ部材１４０は、第２部材１２０を中空部１０６の上面に取り付けている。また、第２部材１２０が有する磁性体は、磁石であっても良いし、磁石でなくても良い。
【００３８】
本実施例において、面光源２００を面光源固定装置１００に固定する方法は、実施例１と同様である。
【００３９】
図８は、本実施例において面光源２００を面光源固定装置１００から取り外す方法を示す図である。本図に示す例において、面光源２００を面光源固定装置１００から取り外すためには、第２部材１２０を配置面１０２側に移動させればよい。このためには、第２部材１２０の上方に磁力源３００を位置させればよい。このとき、第２部材１２０が有する磁性体が磁石ではない場合、磁力源３００の極性の向きはいずれであってもよい。一方、第２部材１２０が有する磁性体が磁石の場合、磁力源３００の極性は、この磁石をひきつける向きとなっている。
【００４０】
本実施例によっても、実施例１と同様の効果が得られる。
【００４１】
（実施例３）
図９は、実施例３に係る発光装置１０が有する面光源固定装置１００の構成を示す図である。本実施例に係る面光源固定装置１００の構成は、以下の点を除いて実施例１に係る面光源固定装置１００と同様の構成である。
【００４２】
まず、第２部材１２０は第１部材１１０に対して固定されている。本図に示す例では、第２部材１２０は第１部材１１０の一面に固定されている。そしてバネ部材１４０は、第２部材１２０を、第１部材１１０が移動する方向に付勢している。具体的には、バネ部材１４０の一端は第２部材１２０に固定されており、バネ部材１４０の他端は、中空部１０６の側面のうち開口１０４とは逆側に位置する領域に固定されている。
【００４３】
このような構成において、第１部材１１０及び第２部材１２０は、支持軸１１４（保持部材の一例）によって、配置面１０２に対して平行な方向に移動可能となっている。
【００４４】
図１０（ａ）は、本実施例に係る面光源２００を面２０２側から見た図であり、図１０（ｂ）は図１０のＡ−Ａ断面図である。本実施例に係る面光源２００は、固定部材２１０の爪部２１２が全て同じ方向を向いている点を除いて、実施例１に係る面光源２００と同様の構成である。
【００４５】
図１１は、本実施例において、面光源２００を面光源固定装置１００に取り付ける方法、及び面光源２００を面光源固定装置１００から取り外す方法を示す断面図である。
【００４６】
図１１（ａ）に示すように、面光源２００を面光源固定装置１００に取り付けるとき、作業者は、面光源２００の固定部材２１０を面光源固定装置１００の開口１０４に差し込む。すると、実施例１と同様に、固定部材２１０の一端１１６は爪部２１２の下面によって図中右側に押され、その方向に移動する。このとき、第２部材１２０も、第１部材１１０とともに、バネ部材１４０を押し縮めながら移動する。
【００４７】
そして、図１１（ｂ）に示すように、実施例１と同様に、第１部材１１０と固定部材２１０が係合し、その結果、面光源２００は配置面１０２に固定される。
【００４８】
一方、面光源２００を面光源固定装置１００から取り外すときは、図１１（ｃ）に示すように、第２部材１２０の上方で、磁力源３００を、配置面１０２と平行な方向に移動させる。これにより、第２部材１２０は、第１部材１１０とともに、バネ部材１４０を押し縮める方向に移動する。これによって、第１部材１１０の一端１１６は、面光源２００の固定部材２１０の上面から外れる。その結果、固定部材２１０を開口１０４から引き抜くことが可能になり、面光源２００を面光源固定装置１００から取り外すことができる。また、複数の爪部２１２の全てが同じ方向を向いているため、容易に面光源２００を面光源固定装置１００から取り外すことができる。
【００４９】
このため、本実施例によっても、実施例１と同様の効果が得られる。
【００５０】
以上、図面を参照して実施形態及び実施例について述べたが、これらは本発明の例示であり、上記以外の様々な構成を採用することもできる。
【符号の説明】
【００５１】
１００ 面光源固定装置
１０２ 配置面
１０５ 係合部
１０６ 中空部
１０７ 移動部材
１１０ 第１部材
１２０ 第２部材
１３０ 連結部材
１４０ バネ部材
２００ 面光源
２０２ 面
２１０ 固定部材
３００ 磁力源
３０２ 取り外し装置
３０４ 保持部
【図１】
2014229494.tif 000003
【図２】
2014229494.tif 000004
【図３】
2014229494.tif 000005
【図４】
2014229494.tif 000006
【図５】
2014229494.tif 000007
【図６】
2014229494.tif 000008
【図７】
2014229494.tif 000009
【図８】
2014229494.tif 000010
【図９】
2014229494.tif 000011
【図１０】
2014229494.tif 000012
【図１１】
2014229494.tif 000013